【手続補正書】
【提出日】平成21年5月25日(2009.5.25)
【手続補正１】
【補正対象書類名】明細書
【補正対象項目名】特許請求の範囲
【補正方法】変更
【補正の内容】
【特許請求の範囲】
【請求項１】  使用者の局部を洗浄する局部洗浄ノズルと、
前記局部洗浄ノズルが先端に設けられたスライダーと、
前記スライダーが出退自在に設けられたシリンダーと、
前記局部洗浄ノズルの上部及び側方部を噴射洗浄するための２個以上の噴射口が設けられているノズル噴射洗浄手段と、
を有しており、
前記局部洗浄ノズルは、前記スライダーが前記シリンダー内に収納される前記局部洗浄ノズルの格納姿勢と、前記局部洗浄ノズルが使用時に突出位置まで突出される前記局部洗浄ノズルの使用姿勢とに変更可能に設けられており、
前記局部洗浄ノズルは、前記格納姿勢において、前記シリンダーより突出するように構成されており、
前記ノズル噴射洗浄手段は、前記格納姿勢および前記使用姿勢のうちの少なくとも前記格納姿勢において、前記局部洗浄ノズルへ前記洗浄水を噴射し、前記局部洗浄ノズルに付着した汚物等を噴射洗浄して落とすこと、
を特徴とする局部洗浄装置。
【請求項２】  前記ノズル噴射洗浄手段の前記噴射口が、前記局部洗浄ノズルの軸芯に対して垂直方向に形成されていることを特徴とする請求項１記載の局部洗浄装置。
【請求項３】  前記ノズル噴射洗浄手段の前記噴射口が、前記局部洗浄ノズルの前記軸芯に対して周方向に間隔を隔てて並設されていることを特徴とする請求項１または２記載の局部洗浄装置。
【請求項４】  前記ノズル噴射洗浄手段の前記噴射口の形状が、前記局部洗浄ノズルに対する噴射角度が２様以上に異なるように形成されていることを特徴とする請求項１〜３のうちの何れか１項記載の局部洗浄装置。
【請求項５】  前記局部洗浄ノズルの前記噴射口の形状が、前記局部洗浄ノズルの前記軸芯の方向に対し扇状、又は円錐状に拡散するように形成されていることを特徴とする請求項１〜４のうちの何れか１項記載の局部洗浄装置。
【請求項６】  前記局部洗浄ノズルの前記格納位置において、前記局部洗浄ノズルの上方に前記洗浄水が飛散するのを防止する飛散防止板が設けられていることを特徴とする請求項１〜５のうちの何れか１項記載の局部洗浄装置。
【請求項７】  前記局部洗浄ノズルの背方に前記洗浄水が飛散するのを防止する背方飛
散防止板が更に設けられていることを特徴とする請求項６記載の局部洗浄装置。
【請求項８】  前記局部洗浄ノズルの側方に前記洗浄水が飛散するのを防止する側方飛散防止板が更に設けられていることを特徴とする請求項７記載の局部洗浄装置。
【請求項９】  前記飛散防止板に前記ノズル噴射洗浄手段の前記噴射口にいたる流路が形成されていることを特徴とする請求項６〜８のうちの何れか１項記載の局部洗浄装置。
【請求項１０】  前記流路が３列に分岐されており、３列の流路のそれぞれの分岐先端には、前記噴射口がそれぞれ形成されていることを特徴とする請求項９記載の局部洗浄装置。
【手続補正２】
【補正対象書類名】明細書
【補正対象項目名】０００８
【補正方法】変更
【補正の内容】
【０００８】
請求項１においては、
使用者の局部を洗浄する局部洗浄ノズル１と、
局部洗浄ノズル１が先端に設けられたスライダー２と、
スライダー２が出退自在に設けられたシリンダー３と、
局部洗浄ノズル１の上部及び側方部を噴射洗浄するための２個以上の噴射口５が設けられているノズル噴射洗浄手段４と、
を有しており、
局部洗浄ノズル１は、スライダー２がシリンダー３内に収納される局部洗浄ノズル１の格納姿勢と、局部洗浄ノズル１が使用時に突出位置まで突出される局部洗浄ノズル１の使用姿勢とに変更可能に設けられており、
局部洗浄ノズル１は、格納姿勢において、シリンダー３より突出するように構成されており、
ノズル噴射洗浄手段４は、格納姿勢および使用姿勢のうちの少なくとも格納姿勢において、局部洗浄ノズル１へ洗浄水を噴射し、局部洗浄ノズル１に付着した汚物等を噴射洗浄して落とすこと、
を特徴とするものである。
このような構成によれば、格納姿勢においてシリンダー３より突出している局部洗浄ノズル１をノズル噴射洗浄手段４より噴射される噴射洗浄水によって洗浄することができ、噴射されて勢いのある噴射洗浄水によって局部洗浄ノズル１に付着している汚物等を洗浄し落下させ、確実に清浄化させることができ、かつ、勢いのある噴射洗浄だから、目視及び感覚的に局部洗浄ノズル１を洗浄することのアピール感を出すことができ、更に、局部洗浄ノズル１の格納姿勢での洗浄だから、毎使用時に噴射洗浄をおこなうことが可能となり、一層、清浄化しやすく、かつ、清浄化ができて汚物等が付着し難くなり、清潔感を得ることができる。また、局部洗浄ノズル１の上部及び側方部を噴射洗浄する少なくとも２個以上の噴射口５を設けているため、局部洗浄ノズル１の上部及び側方部を噴射洗浄することができ、一層、清浄化できる。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項３においては、ノズル噴射洗浄手段４の噴射口５…を、局部洗浄ノズル１の軸芯Ｘに対して周方向に間隔を隔てて並設していることを特徴とするものである。このような構成によれば、局部洗浄ノズル１の軸芯Ｘに対して周方向に間隔を隔てて並設した噴射口５…によって局部洗浄ノズル１の全体を洗浄できる。
【手続補正５】
【補正対象書類名】明細書
【補正対象項目名】００１２
【補正方法】変更
【補正の内容】
【００１２】
請求項４においては、ノズル噴射洗浄手段４の噴射口５の形状は、局部洗浄ノズル１に対する噴射角度が２様以上に異なるように形成していることを特徴とするものである。このような構成によれば、２様以上に異なる噴射角度で洗浄水を噴射させることができ、少ない噴射口５で洗浄範囲を増すことができる。
【手続補正６】
【補正対象書類名】明細書
【補正対象項目名】００１３
【補正方法】変更
【補正の内容】
【００１３】
請求項５においては、局部洗浄ノズル１の噴射口５の形状において、局部洗浄ノズル１の軸芯Ｘの方向に対し扇状、又は円錐状に拡散するように形成されていることを特徴とするものである。このような構成によれば、扇状、又は円錐状に拡散するように噴射洗浄をおこなうことができ、少ない噴射口５で洗浄範囲を増すことができる。
【手続補正７】
【補正対象書類名】明細書
【補正対象項目名】００１４
【補正方法】変更
【補正の内容】
【００１４】
請求項６においては、局部洗浄ノズル１の格納位置において、局部洗浄ノズル１の上方に洗浄水が飛散するのを防止する飛散防止板６を設けていることを特徴とするものである。このような構成によれば、噴射洗浄水が局部洗浄ノズル１の上方に飛散することを防止して、局部洗浄装置の内部への飛散及び便器の外部への飛散を阻止することができ、かつ、使用者の身体への飛散を防止し、汚物を含んだ噴射洗浄水を便器の内部に落とすことができる。
また、請求項７においては、局部洗浄ノズル１の背方に洗浄水が飛散するのを防止する背方飛散防止板２３が更に設けられていることを特徴とするものである。このような構成によれば、噴射洗浄水が局部洗浄ノズル１の背方に飛散することを防止して、局部洗浄装置の内部への飛散及び便器の外部への飛散を阻止することができ、かつ、使用者の身体への飛散を防止し、汚物を含んだ噴射洗浄水を便器の内部に落とすことができる。
【手続補正８】
【補正対象書類名】明細書
【補正対象項目名】００１５
【補正方法】変更
【補正の内容】
【００１５】
請求項８においては、局部洗浄ノズル１の側方に洗浄水が飛散するのを防止する側方飛散防止板７が更に設けられていることを特徴とするものである。このような構成によれば、側方飛散防止板７によって汚物を含んだ噴射洗浄水が側方へ飛散するのを阻止すること
ができる。
【手続補正９】
【補正対象書類名】明細書
【補正対象項目名】００１６
【補正方法】変更
【補正の内容】
【００１６】
請求項９においては、飛散防止板６にノズル噴射洗浄手段４の噴射口５にいたる流路８を形成していることを特徴とするものである。このような構成によれば、ノズル噴射洗浄手段４への洗浄水の供給を飛散防止板６に形成した流路８によりおこなうことができ、構成を簡素化できる。
また、請求項１０においては、流路８が３列に分岐されており、３列の流路８のそれぞれの分岐先端には、噴射口５がそれぞれ形成されていることを特徴とするものである。このような構成によれば、噴射口５より噴射される圧力は、おしり洗浄ノズル１１及びビデ洗浄ノズル１３よりの噴射圧と同様となるが、ノズル洗浄用管路体２１の管径及び噴射口５の数及び大きさの設定により充分に高い圧力を得ることができ、噴射洗浄が可能になるものである。